(57)【特許請求の範囲】
【請求項１】
組み立て状態及び折り畳み状態の間で変形し、
左右にそれぞれ設けられた立壁板と、
左右の前記立壁板に設けられた棚板とを備える陳列棚であって、
左右の前記立壁板は、
組み立て状態では開状態であり、
折り畳み状態では閉状態になるように回転可能に接続部によって接続され、
前記棚板は、
左右の前記立壁板に対して回転可能に接続され、
中央に棚板折部を有し、
組み立て状態では平らに展開した開状態であり、
前記立壁板が開状態から閉状態に変形することに連動して、前記立壁板に対して回転し、かつ、前記棚板折部で折れることにより、開状態から閉状態になり、
前記陳列棚は、
開状態の前記棚板の手前側の下面に当接することにより、開状態の前記棚板に加わる荷重を支える棚支え部と、
前記棚板の手前側の辺部に接続され、前記棚支え部と当接する接合片と、
前記接合片と前記棚支え部とを着脱自在に接合する接合手段と、を備えること、
を特徴とする陳列棚。
【請求項２】
請求項１に記載の陳列棚において、
前記棚支え部は、
左右の前記立壁板に対して回転可能に接続されることにより、左右の前記立壁板に取り付けられ、
中央に前面板折部を有し、
組み立て状態では平らに展開した開状態であり、
前記立壁板が開状態から閉状態に変形することに連動して、前記立壁板に対して回転し、かつ、前記前面板折部で折れることにより、開状態から閉状態になること、
を特徴とする陳列棚。
【請求項３】
請求項１又は請求項２に記載の陳列棚において、
左右の前記立壁板の開状態のなす角は、直角又はほぼ直角であること、
を特徴とする陳列棚。
【請求項４】
請求項１から請求項３のいずれかに記載の陳列棚において、
左右の前記立壁板のうち一方の奥側に設けられた収容箱を備え、
前記収容箱は、前記立壁板、前記棚板が閉状態へ変形することによりこの陳列棚が折り畳み状態に変形した状態で、前記収容箱の各板片を反対側に折り返すことにより、前記立壁板、前記棚板を収容すること、
を特徴とする陳列棚。
【発明の詳細な説明】
【技術分野】
【０００１】
本発明は、折り畳み可能な陳列棚に関するものである。
【背景技術】
【０００２】
従来、折り畳んだ状態から、使用時に組み立てる陳列台等があった（例えば特許文献１）。
しかし、従来の陳列台等は、組み立て時には、多くの部品を組み合わせる必要があった。このため、従来の陳列台等は、組み立て作業が複雑であった。
【先行技術文献】
【特許文献】
【０００３】
【特許文献１】特許第４２８６９３２号公報
【発明の概要】
【発明が解決しようとする課題】
【０００４】
本発明の課題は、組み立てが容易な陳列棚を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、組み立て状態及び折り畳み状態の間で変形し、左右にそれぞれ設けられた立壁板（２０，２２０）と、左右の前記立壁板に設けられた棚板（４０）とを備える陳列棚であって、左右の前記立壁板は、組み立て状態では開状態であり、折り畳み状態では閉状態になるように回転可能に接続部によって接続され、前記棚板は、左右の前記立壁板に対して回転可能に接続され、中央に棚板折部（Ｈ４１）を有し、組み立て状態では平らに展開した開状態であり、前記立壁板が開状態から閉状態に変形することに連動して、前記立壁板に対して回転し、かつ、前記棚板折部で折れることにより、開状態から閉状態になり、前記立壁板の開状態を保持する立壁保持部（４０，４３，４５，５５，２５０）と、開状態の前記棚板に加わる荷重を支える棚支え部（５０，２５０）とを備えること、を特徴とする陳列棚である。
・第２の発明は、第１の発明の陳列棚において、左右の前記立壁板（２０，２２０）に取り付けられることにより、前記立壁板の開状態を保持する立壁保持部と、開状態の前記棚板（４０）の下面に当接することにより、前記棚板に加わる荷重を支える棚支え部とを兼用する前面板部（５０，２５０）を備えること、を特徴とする陳列棚である。
・第３の発明は、第２の発明の陳列棚において、前記前面板（５０）は、左右の前記立壁板（２０）に対して回転可能に接続されることにより、左右の前記立壁板に取り付けられ、中央に前面板折部（Ｈ５１）を有し、組み立て状態では平らに展開した開状態であり、前記立壁板が開状態から閉状態に変形することに連動して、前記立壁板に対して回転し、かつ、前記前面板折部で折れることにより、開状態から閉状態になること、を特徴とする陳列棚である。
・第４の発明は、第１から第３のいずれかの発明の陳列棚において、左右の前記立壁板（２０，２２０）の開状態のなす角は、直角又はほぼ直角であること、を特徴とする陳列棚である。
・第５の発明は、第１から第４のいずれかの発明の陳列棚において、左右の前記立壁板（２０，２２０）のうち一方の奥側に設けられた収容箱（７０）を備え、前記収容箱は、前記立壁板、前記棚板（４０）が閉状態へ変形することによりこの陳列棚が折り畳み状態に変形した状態で、前記収容箱の各板片を反対側に折り返すことにより、前記立壁板、前記棚板を収容すること、を特徴とする陳列棚である。
【発明の効果】
【０００７】
本発明によれば、組み立てが容易な陳列棚を提供できる。
【図面の簡単な説明】
【０００８】
【図１】第１実施形態の陳列棚１の陳列状態の斜視図である。
【図２】第１実施形態の陳列棚１を変形させる態様を、手前側Ｙ１の斜め上から見た斜視図である。
【図３】第１実施形態の陳列棚１を変形させる態様を、手前側Ｙ１の斜め上から見た斜視図である。
【図４】第１実施形態の陳列棚１の組み立て状態の断面図である。
【図５】図４の断面図を模式的に示す図である。
【図６】第１実施形態の陳列棚１を変形させる態様を、模式的に示す断面図である。
【図７】第２実施形態の陳列棚２０１の斜視図である。
【発明を実施するための形態】
【０００９】
（第１実施形態）
以下、図面等を参照して、本発明の第１実施形態について説明する。
図１は、第１実施形態の陳列棚１の陳列状態の斜視図である。
図１（Ａ）は、手前側Ｙ１の斜め上から見た斜視図である。
図１（Ｂ）は、奥側Ｙ２の斜め上から見た斜視図である。
図２、図３は、第１実施形態の陳列棚１を変形させる態様を、手前側Ｙ１の斜め上から見た斜視図である。
図２、図３は、便宜上、右側Ｘ２の立壁板２０を動かさずに、陳列棚１を変形する態様を図示した。
図４は、第１実施形態の陳列棚１の組み立て状態の断面図である。
図４（Ａ）は、上側Ｚ２から見た断面図（図１（Ａ）の４Ａ−４Ａ部を通る水平断面図）である。
図４（Ｂ）は、手前側Ｙ１から見た断面図（図１（Ａ）の４Ｂ−４Ｂ部を通る鉛直断面図）である。
図４（Ｃ）は、右側Ｘ２から見た断面図（図１（Ａ）の４Ｃ−４Ｃ部を通る鉛直断面図）である。
図５は、図４の断面図を模式的に示す図である。
図６は、第１実施形態の陳列棚１を変形させる態様を、模式的に示す断面図である。
なお、図４から図６は、収容箱の図示を省略した。
図５、図６は、各板材、ヒンジ部の構成を、模式的に示した。
【００１０】
実施形態、図面では、説明と理解を容易にするために、ＸＹＺ直交座標系を設けた。この座標系は、図１（Ａ）に示すように、陳列棚１を手前側Ｙ１から見た状態を基準にして、鉛直方向Ｚ、左右方向Ｘ、奥行方向Ｙを表す。左右方向Ｘ、奥行方向Ｙは、水平方向の座標軸である。
なお、実施形態では、陳列棚１の主要部（立壁板２０、立壁接続部３０、棚板４０、前面板５０）が組み立てられた状態を組み立て状態（図１の状態）という。また、主要部が折り畳まれた状態を折り畳み状態（図２（Ｂ）の状態）という。主要部の構成は、左右対称である。
さらに、陳列棚１の陳列時の状態であり、組み立て状態において主要部の右奥側（右側Ｘ２の立壁板２０片の奥側Ｙ２）で収容箱７０が組み立てられた状態を陳列状態（図１の状態）という。また、陳列棚１の収容時の状態であり、折り畳み状態において、主要部の左手前（右側Ｘ２の立壁板２０片の手前側Ｙ１）に向けて収容箱７０が組み立てられ、主要部が収容箱７０に収容された状態を収容状態（図３（Ｂ）の状態）という。
【００１１】
陳列棚１は、例えば、店舗等において、商品の販売促進、販売等に利用される。棚板４０には、陳列物である販売促進品、商品等が載置される。陳列棚１は、例えば店舗内の壁と壁とが交差するコーナ部分等に設置される。
【００１２】
（陳列棚１の構成）
図１に示すように、陳列棚１は、左右の立壁板２０、立壁接続部３０、棚板４０、前面板５０、収容箱７０、表示板８０を備える。
これらの部材は、それぞれ、ケント紙、段ボール等の板材単体、又はこれらの板材を複数貼り合わせたりして形成される。
立壁板２０、立壁接続部３０、棚板４０、前面板５０、収容箱７０は、これらの部材間が接着されることにより、一体構造に形成されている。
鉛直方向Ｚにおいて、立壁板２０、立壁接続部３０、収容箱７０の長さは、等しい。また、立壁板２０、立壁接続部３０、前面板５０、収容箱７０の底部の位置は、等しい。これらの底部が設置面に接地することにより、陳列棚１は、設置面に設置される。
【００１３】
図１、図５に示すように、各部材間は、以下のように、ヒンジ部によって、回転可能である。
左右の立壁板２０間は、立壁接続部３０によって接続されており、立壁接続部３０のヒンジ部Ｈ３０によって回転可能である。
棚板４０及び立壁板２０間は、ヒンジ部Ｈ４０によって回転可能である。
棚板４０は、ヒンジ部Ｈ４１（棚板折部）によって、２つ折りに折り畳み可能である。
棚板４０及び接合片４３間は、ヒンジ部Ｈ４２によって回転可能である。
前面板５０及び立壁板２０間は、ヒンジ部Ｈ５０によって回転可能である。
前面板５０は、ヒンジ部Ｈ５１（前面板折部）によって、２つ折りに折り畳み可能である。
なお、実施形態では、ヒンジ部は、例えば、段ボールに設けられた押罫等によって形成される。
【００１４】
構成部材の詳細について説明する。
図１に示すように、左右の立壁板２０、立壁接続部３０は、鉛直方向Ｚに細長い長方形の板材である。
左右の立壁板２０、立壁接続部３０は、複数の板材を接着することによりこれら全体を形成してもよく、又は１枚の板材を折り加工等することによりこれら全体を１枚の板材から形成してもよい。
【００１５】
左右の立壁板２０は、鉛直方向Ｚに直立した板材である。左右の立壁板２０は、それぞれ、陳列棚１の左奥の奥壁、右奥の奥壁を形成する部分である。
図４（Ｂ）に示すように、立壁板２０は、穴部２３を備える。
ここで、立壁板２０は、板材を折り加工することにより、２枚構成又は中空の構成になっている。
穴部２３は、立壁板２０の内側の板材に設けられた開口である。穴部２３は、奥行方向Ｙに細長い。穴部２３は、棚板４０を取り付けるための取り付け穴である。
【００１６】
図１に示すように、立壁接続部３０の左右の辺部は、それぞれ左右の立壁板２０の奥側Ｙ２の辺部に接続されている。この接続部分は、ヒンジ部Ｈ３０である。ヒンジ部Ｈ３０の回転軸は、鉛直方向Ｚに平行である。
左側Ｘ１のヒンジ部Ｈ３０は、左側Ｘ１の立壁板２０及び立壁接続部３０間を回転可能に接続する。
右側Ｘ２のヒンジ部Ｈ３０は、右側Ｘ２の立壁板２０及び立壁接続部３０間を回転可能に接続する。
【００１７】
これにより、左右の立壁板２０は、ヒンジ部Ｈ３０によって、開状態（図１（Ａ）の状態）及び閉状態（図２（Ｂ）の状態）の間で回転可能である。
左右の立壁板２０は、組み立て状態では開状態であり、また、折り畳み状態では閉状態である。
開状態において、左右の立壁板２０のなす角は、直角又はほぼ直角である。これにより、陳列棚１は、店舗のコーナ部分等に設置することができる。
また、閉状態において、左右の立壁板２０は、２つ折りの状態に畳まれる（図２（Ｂ）参照）。
【００１８】
図２（Ｂ）に示すように、立壁接続部３０の短辺部の長さＬ３０は、折り畳み状態において、棚板４０、前面板５０等の厚さを吸収できる程度である。このため、この長さＬ３０は、立壁板２０の各辺部の長さに比べると十分に小さい。
【００１９】
図１に示すように、棚板４０は、陳列物が載置される部材である。
棚板４０は、左右の立壁板２０に取り付けられている。
棚板４０を鉛直方向Ｚから見た形状は、ほぼ直角二等辺三角形である。
棚板４０の本体である左部分４０ａ及び右部分４０ｂは、ヒンジ部Ｈ４１で接続されている。ヒンジ部Ｈ４１の回転軸は、棚板４０の中央に設けられており、また、直角二等辺三角形の対称軸と同軸である。ヒンジ部Ｈ４１の回転軸は、組み立て状態では、奥行方向Ｙに平行である。
【００２０】
図１、図４に示すように、棚板４０には、取り付け片４２、接合片４３が接続されている。
取り付け片４２は、棚板４０の斜辺部に対して、ヒンジ部Ｈ４０によって接続されている。ヒンジ部Ｈ４０の回転軸は、立壁板２０の面に平行な軸であり、かつ、水平方向の軸である。
取り付け片４２が立壁板２０の穴部２３（図４（Ｂ）参照）に挿入されることにより、棚板４０は、立壁板２０に取り付けられる。取り付け片４２及び立壁板２０間は、必要に応じて接着してもよい。
【００２１】
これにより、棚板４０は、開状態（図１（Ａ）の状態）及び閉状態（図２（Ｂ）の状態）の間で、ヒンジ部Ｈ４０回りに回転可能に、立壁板２０に対して接続される。
組み立て状態では、棚板４０は、平らに展開した開状態である。また、開状態では、棚板４０の表裏面が、鉛直方向Ｚを向く。つまり、開状態では、棚板４０の上面は、水平面である。
折り畳み状態では、棚板４０は、ヒンジ部Ｈ４１で２つ折りにされた閉状態である。
【００２２】
接合片４３は、棚板４０を前面板５０に着脱可能に接合するための部分である。接合片４３の内側の面には、面ファスナ４５が接着されている。
接合片４３は、棚板４０の長辺部（手前側Ｙ１の辺部）に対して、ヒンジ部Ｈ４２によって接続されている。ヒンジ部Ｈ４２の回転軸は、組み立て状態では、左右方向Ｘに平行である。
また、前述した棚板４０のヒンジ部Ｈ４１は、棚板４０から接合片４３まで延長して設けられている。
【００２３】
図１、図４に示すように、前面板５０は、棚板４０の下側Ｚ１であって、左右の立壁板２０のほぼ先端の間を、接続するように配置されている。
前面板５０は、棚板４０を受ける板状の部材である。つまり、前面板５０は、棚板４０を、棚板４０の下面から受ける。
前面板５０の本体である左部分５０ａ及び右部分５０ｂは、ヒンジ部Ｈ５１で接続されている。ヒンジ部Ｈ５１の回転軸は、鉛直方向Ｚに平行であり、前面板５０の中央に設けられている。
前面板５０は、面ファスナ５５を備える。
面ファスナ５５は、前述した接合片４３の面ファスナ４５に接合する部材である。
【００２４】
前面板５０は、取り付け片５２が接続されている。
取り付け片５２は、前面板５０に対して、ヒンジ部Ｈ５０によって接続されている。ヒンジ部Ｈ５０の回転軸は、鉛直方向Ｚに平行である。
取り付け片５２が立壁板２０の内側の面に接着されることにより、前面板５０は、立壁板２０に取り付けられる。
【００２５】
これにより、前面板５０は、開状態（図１（Ａ）の状態）及び閉状態（図２（Ｂ）の状態）の間で、ヒンジ部Ｈ５０回りに回転可能に接続される。
組み立て状態では、前面板５０は、平らに展開した開状態である。
折り畳み状態では、棚板４０は、ヒンジ部Ｈ５１で２つ折りにされた閉状態である。
【００２６】
図３に示すように、収容箱７０の形態は、たとう式（やっこ式とも呼ぶ）である。すなわち、収容箱７０は、底板７５の４辺部に接続された４つの板片７１，７２を立ち上げて、収容物を包むようにして折り曲げて、収容する形態である。
図１に示すように、収容箱７０の底板７５は、右側Ｘ２の立壁板２０の奥側Ｙ２の面に接着されている。
陳列棚１の陳列状態は、陳列棚１が組み立て状態の場合に、収容箱７０の板片７１，７２を、右側Ｘ２の立壁板２０の奥側Ｙ２に向けて立ち上げて箱状にされた状態である。
また、図３に示すように、陳列棚１の収容状態は、陳列棚１が折り畳み状態の場合に、収容箱７０の板片７１，７２を反対側に折り返すことにより、立壁板２０、棚板４０、前面板５０、表示板８０等が収容された状態である。
なお、収容箱７０の形態は、たとう式に限定されず、上記機能を奏する形態であればよい。
【００２７】
図１の二点鎖線内に示すように、表示板８０は、販売促進品、商品等の宣伝、説明等が印刷された板材である。
表示板８０の下端は、立壁板２０の取り付け穴２５に挿入するための突出部８５を備える。
表示板８０は、陳列棚１の仕様に応じて用意して、取り付ければよい。図１以外の図面では、表示板８０及び取り付け穴２５の図示を省略した。
【００２８】
（組み立て状態の維持）
陳列棚１は、以下の作用によって、組み立て状態を安定して維持できる。
図１、図４に示すように、組み立て状態では、接合片４３は、棚板４０に対して直角に折られた状態で、前面板５０に対して面ファスナ４５，５５によって接着している。このため、接合片４３は、この折られた状態を安定して維持できる。
これにより、棚板４０は、ヒンジ部Ｈ４１で折れることなく、平らに展開した開状態を維持できる。同様に、前面板５０は、ヒンジ部Ｈ５１で折れることなく、平らに展開した開状態を安定して維持できる。
【００２９】
また、左右の立壁板２０は、棚板４０、接合片４３、前面板５０が突っ張りになることによって、開状態の開角度からさらに閉方向及び開方向に回転しないように規制される。つまり、棚板４０、接合片４３、面ファスナ４５，５５、前面板５０は、立壁板２０の開状態を維持（保持）する立壁保持部として機能する。
このように、陳列棚１は、組み立て状態を安定して維持できる。
【００３０】
（棚板４０に加わる荷重を受ける構成）
陳列棚１が、棚板４０に加わる荷重を受ける構成を説明する。
図４に示すように、棚板４０は、左右の立壁板２０に対してヒンジ部Ｈ４０によって接続され（図４（Ｂ）参照）、また、下面のうち手前側Ｙ１の部分が、前面板５０の上縁部に当接する（図４（Ｃ）参照）。
これにより、棚板４０に加わる荷重Ｆ１は、主に、ヒンジ部Ｈ４０を介して立壁板２０が受け、また、棚板４０の下面から前面板５０が受ける。このため、陳列棚１は、棚板４０の３つの辺部の全てで、棚板４０に加わる荷重Ｆ１を受けることができる。
【００３１】
さらに、棚板４０は、前面板５０の上縁部に当接することにより、棚板４０の手前側Ｙ１の部分では、ヒンジ部Ｈ４１回りに回転しないように規制される。
これにより、陳列棚１は、棚板４０の上面に加わる荷重Ｆ１を安定して受けることができる。
また、前面板５０は、前述した立壁板２０の開状態を保持する立壁保持部と、棚板４０に加わる荷重Ｆ１を支える棚支え部とを兼用できる。
【００３２】
（陳列状態から収容状態への変形）
陳列棚１を陳列状態から収容状態に変形させるには、作業者は、以下の工程に従えばよい。
最初に、作業者は、陳列棚１を陳列状態（組み立て状態）から折り畳み状態へと変形させる。
（１）図１（Ａ）、図５に示す組み立て状態において、面ファスナ４５，５５を離間させる。その後、接合片４３及び棚板４０が同一面となるように、接合片４３をヒンジ部Ｈ４２回りに回転する（図５（Ｃ）に示す矢印Ａ４３参照）。
【００３３】
（２）図１（Ａ）、図５に示すように、左右の立壁板２０を、ヒンジ部Ｈ３０回りに回転して、左右方向Ｘの内側に閉じる（図１（Ａ）、図５に示す矢印Ａ２０参照）。
図２（Ａ）、図６に示すように、立壁板２０の回転に連動して、棚板４０の各部分４０ａ，４０ｂは、立壁板２０に対してヒンジ部Ｈ４０回りに回転し、かつ、ヒンジ部Ｈ４１回りに折れるように回転する。
なお、この場合に、接合片４３は、棚板４０と一体になって、ヒンジ部Ｈ４１回りに折れる（図２（Ａ）参照）。また、ヒンジ部Ｈ４１の回転軸自体が、鉛直方向Ｚに回転する（図６（Ｃ）に示す矢印Ａ４１参照）。
同様に、立壁板２０の回転に連動して、前面板５０の各部分５０ａ，５０ｂは、立壁板２０に対してヒンジ部Ｈ５０回りに回転し、かつ、ヒンジ部Ｈ５１回りに折れるように回転する。
【００３４】
（３）図２（Ｂ）に示すように、左右の立壁板２０が閉状態まで変形すると、棚板４０がヒンジ部Ｈ４１で２つに折りにされた閉状態に変形し、また、前面板５０がヒンジ部Ｈ５１で２つに折りにされた閉状態に変形する。棚板４０、前面板５０は、左右の立壁板２０に挟まれた状態である。
以上により、陳列棚１は、折り畳み状態に変形する。
【００３５】
（４）次に、図３（Ａ）、図３（Ｂ）に示すように、収容箱７０の上下の片７１を立壁板２０の手前側Ｙ１に折り返した後、左右の各片７２を立壁板２０の手前側Ｙ１に折り返して閉じ、ロック片７２ａをロック孔７２ｂに挿入する。
これにより、陳列棚１は、収容状態に変形する。
このように、陳列状態（組み立て状態）の陳列棚１を折り畳み状態、収容状態へと変形する作業は、容易である。
また、陳列棚１は、収容箱７０に収容されることにより、保管、輸送時等の取扱いが容易である。
【００３６】
（収容状態から陳列状態への変形）
作業者は、陳列棚１を、収容状態から陳列状態へと変形するには、上記（１）から（４）とは逆の工程に従えばよい。
すなわち、作業者は、収容箱７０の各片７１，７２を立壁板２０の奥側Ｙ２に折り返して組み立てた後、左右の立壁板２０をヒンジ部Ｈ３０回りに開くように回転することにより、開状態に変形すればよい。立壁板２０の回転に連動して、棚板４０、前面板５０は、開状態に変形する。その後、接合片４３及び前面板５０を、面ファスナ４５，５５で接合する。これにより、陳列棚１は、組み立て状態、陳列状態に変形する。
このように、陳列棚１を組み立て状態、陳列状態へと変形する作業は、容易である。
【００３７】
以上説明したように、本実施形態の陳列棚１は、組み立て、折り畳み等の作業が容易である。また、陳列棚１は、棚板４０に加わる荷重を安定して受けることができる。
【００３８】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図７は、第２実施形態の陳列棚２０１の斜視図である。
本実施形態の陳列棚２０１は、前面板２５０を、立壁板２２０等からなる本体部に対して、着脱可能にしたものである。
前面板２５０の着脱は、立壁板２２０に設けられた面ファスナ２２６と、前面板２５０に設けられた面ファスナ２５６との接合によって行う。
このため、前面板２５０は、ヒンジ部等が設けられていない。また、前面板２５０は、面ファスナ２５６が接着された取り付け片２５３を備える。
【００３９】
前面板２５０を本体部に取り付ける場合には、面ファスナ２２６，２５６を接合し（矢印Ａ２５５参照）、その後、棚板４０の接合片４３の面ファスナ４５と前面板２５０の面ファスナ５５とを接合すればよい（矢印Ａ４５参照）。
なお、本体部の折り畳み、組み立て工程等は、第１実施形態と同様であり、その作業は、容易である。
【００４０】
上記構成によっても、第１実施形態と同様に、陳列棚２０１の棚板４０、接合片４３、面ファスナ４５，５５、前面板２５０は、立壁板２２０の開状態を維持（保持）できる。
また、第１実施形態と同様に、陳列棚２０１は、棚板４０の３つの辺部の全てで、棚板４０に加わる荷重を受けることができる。さらに、前面板２５０は、立壁板２２０の開状態を保持する立壁保持部と、棚板４０に加わる荷重を支える棚支え部とを兼用できる。
【００４１】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４２】
（変形形態）
（１）実施形態において、棚板本体の上面は、水平面である例を示したが、これに限定されない。棚板本体の上面は、例えば、奥側に至る程、下側に至るように傾斜した形態でもよい。この形態は、棚受のヒンジ部をこの傾斜に平行になるように設ければ実現できる。この形態は、陳列物が、手前側から不意に落下することを抑制できる。
【００４３】
（２）実施形態において、棚板は、１枚設けられた例を示したが、これに限定されない。棚板は、複数枚設けてもよい。
【符号の説明】
【００４４】
１，２０１  陳列棚
２０，２２０  立壁板，立壁板
３０  立壁接続部
４０  棚板
４３  接合片
４５，５５，２２６，２５６  面ファスナ
５０，２５０  前面板
７０  収容箱
【図１】
0006492538.tif 000002
【図２】
0006492538.tif 000003
【図３】
0006492538.tif 000004
【図４】
0006492538.tif 000005
【図５】
0006492538.tif 000006
【図６】
0006492538.tif 000007
【図７】
0006492538.tif 000008